(57)【要約】      （修正有）【課題】デッドスペースを有効に利用することができる卓上切断機を提供する。【解決手段】被加工材１１を載置可能なベース１を備え、切断刃と電動機を備えた切断部をベース１に対して上下揺動可能に切断部を保持し、該切断部を上下に揺動させて被加工材１１を切断する卓上切断機において、ベース１の上面に対して水平方向に移動可能な収納装置５をベース１の空洞部に設ける。又、ベース１の側面に開口部を形成する。【選択図】図４
2008229870.tif 000002
【特許請求の範囲】
【請求項１】
被加工材を載置可能なベースを備え、切断刃と電動機を備えた切断部を前記ベースに対して上下揺動可能に保持し、該切断部を上下に揺動させて被加工材を切断する卓上切断機において、
前記ベースの空洞部に収納装置を設けたことを特徴とする卓上切断機。
【請求項２】
前記収納装置を前記ベース上面に対して水平方向に移動可能に設けたことを特徴とする請求項１記載の卓上切断機。
【請求項３】
前記ベースの側面に開口部を形成したことを特徴とする請求項１又は２記載の卓上切断機。
【請求項４】
前記ベースの空洞部に前記収納装置の移動をガイドするリブを設けたことを特徴とする請求項１〜３の何れかに記載の卓上切断機。
【請求項５】
前記収納装置を前記リブに螺合するボルトによって固定することを特徴とする請求項４記載の卓上切断機。
【発明の詳細な説明】
【技術分野】
【０００１】
本発明は、切断刃と電動機を備えた切断部をベースに対して上下に揺動させることによって被加工材を切断する卓上切断機に関するものである。
【背景技術】
【０００２】
従来の卓上切断機の構造を図７〜図９に示す。
【０００３】
図７は従来の卓上切断機の側面図、図８は同卓上切断機の部分平面図、図９は図８のＣ−Ｃ線拡大断面図であり、図示の卓上切断機は、被加工材１１を載置可能なベース１を備え、切断刃１２と電動機１３を備えた切断部１４を前記ベース１に対して上下揺動可能に保持して構成されており、切断部１４を上下に揺動させて被加工材１１を切断するものである。
【０００４】
ところで、従来の卓上切断機にあっては、ベース１は被加工材１１を載置するための広い支持面を有しており、高さも高い構造となっている。このため、図９に示すように、ベース１の下端から上端にかけては大きな空洞部２が存在してしまう。尚、図７〜図９において、３はターンテーブル、４はフェンスである。
【発明の開示】
【発明が解決しようとする課題】
【０００５】
上記従来の卓上切断機では、ベース１の下端から上端にかけて大きな空洞部２が存在し、その空洞部２がデッドスペースとなっているという欠点があった。
【０００６】
本発明は上記従来の欠点を解消するためになされたもので、その目的とする処は、デッドスペースを有効に利用することができる卓上切断機を提供することにある。
【課題を解決するための手段】
【０００７】
上記目的を達成するために、請求項１記載の発明は、被加工材を載置可能なベースを備え、切断刃と電動機を備えた切断部を前記ベースに対して上下揺動可能に保持し、該切断部を上下に揺動させて被加工材を切断する卓上切断機において、前記ベースの空洞部に収納装置を設けたことを特徴とする。
【０００８】
請求項２記載の発明は、請求項１記載の発明において、前記収納装置を前記ベース上面に対して水平方向に移動可能に設けたことを特徴とする。
【０００９】
請求項３記載の発明は、請求項１又は２記載の発明において、前記ベースの側面に開口部を形成したことを特徴とする。
【００１０】
請求項４記載の発明は、請求項１〜３の何れかに記載の発明において、前記ベースの空洞部に前記収納装置の移動をガイドするリブを設けたことを特徴とする。
【００１１】
請求項５記載の発明は、請求項４記載の発明において、前記収納装置を前記リブに螺合するボルトによって固定することを特徴とする。
【発明の効果】
【００１２】
本発明によれば、収納装置をベースの空洞部に設けたため、収納装置にカーボンブラシ等の小物を収納することができ、従来は有効利用されていなかったベース内のデッドスペースを、収納装置を収納する空間として有効利用することができる。
【発明を実施するための最良の形態】
【００１３】
以下に本発明の実施の形態を添付図面に基づいて説明する。
【００１４】
図１及び図２は本発明に係る卓上切断機のベース部の拡大側面図、図３は同卓上切断機の上面図、図４は図３のＡ−Ａ線拡大断面図、図５は図３のＢ−Ｂ線拡大断面図、図６は同卓上切断機のベース部の拡大正面図である。
【００１５】
本発明に係る卓上切断機の基本構成は図７〜図９に示した従来の卓上切断機と同じであり、図示のように、ベース１の上面には木材等の被加工材１１が載置されており、ベース１の上面には、被加工材１１を支持するフェンス４が固定されている。又、ベース１にはターンテーブル３が嵌合され、該ターンテーブル３は、ベース１に水平回転可能に保持されており、その上面は、ベース１の上面と同一面となっている。尚、本実施の形態では、被加工材１１が載置される部分（ベース１とターンテーブル３）を「ベース部」と称することとする。
【００１６】
而して、本実施の形態は、ベース１の内部のデッドスペースを収納装置５を収納するための空間として利用することを特徴とする。ここで、収納装置５は矩形のボックスであって、ベース１の内部には、収納装置５の水平方向をガイドするためのリブ７が形成されている。
【００１７】
又、ベース１の側面には、図２に示すように、収納装置５の外形形状に合わせた矩形の開口部６ａが形成されている。更に、ベース１の正面には開口部６ｂが形成されており、この開口部６ｂの延長上のリブ７にねじ孔８が刻設されている。そして、ベースの正面に開口する前記開口部６ｂからはボルト９が通され、該ボルト９はリブ７の前記ねじ孔８に螺合している。従って、ベース１の側面に開口する開口部６ａから収納装置５を図１に示すように差し込んで収納した後、ボルト９を締め付けてその先端を収納装置５の側面に係合させれば該収納装置５をベース１内で固定することができる。
【００１８】
上記構成において、必要に応じてボルト９を緩めて収納装置５の固定を解除すれば、該収納装置５をベース１内でリブ７に沿って移動させてこれを引き出せば、その内部にカーボンブラシ等の小物を収納することができる。そして、収納装置５にカーボンブラシ等の小物を収納した後は、収納装置５を図５及び図６に示すベースリブ１０に突き当たる位置まで押し込み、ボルト９を締め付けてその先端端部を収納装置５の側面に係合させれば、該収納装置５をベース１内に固定することができる。
【００１９】
以上のように、本実施の形態では、従来は有効利用されていなかったベース１内のデッドスペースを収納装置５を収納する空間として有効利用することができる。
【００２０】
尚、本発明は、スライド式、スライド不可式の卓上切断機の双方に対して適用可能であり、必要に応じて収納装置の取り外しも可能である。
【図面の簡単な説明】
【００２１】
【図１】本発明に係る卓上切断機のベース部の拡大側面図である。
【図２】本発明に係る卓上切断機のベース部の拡大側面図である。
【図３】本発明に係る卓上切断機のベース部の上面図である。
【図４】図３のＡ−Ａ線拡大断面図である。
【図５】図３のＢ−Ｂ線拡大断面図である。
【図６】本発明に係る卓上切断機のベース部の拡大正面図である。
【図７】従来の卓上切断機の側面図である。
【図８】従来の卓上切断機の部分平面図である。
【図９】図８のＣ−Ｃ線拡大断面図である。
【符号の説明】
【００２２】
１      ベース
２      空洞部
３      ターンテーブル
４      フェンス
５      収納装置
６ａ    開口部
６ｂ    開口部
７      リブ
８      ねじ孔
９      ボルト
１０    ベースリブ
１１    被加工材
１２    切断刃
１３    電動機
１４    切断部
【図１】
2008229870.tif 000003
【図２】
2008229870.tif 000004
【図３】
2008229870.tif 000005
【図４】
2008229870.tif 000006
【図５】
2008229870.tif 000007
【図６】
2008229870.tif 000008
【図７】
2008229870.tif 000009
【図８】
2008229870.tif 000010
【図９】
2008229870.tif 000011